(57)【要約】【課題】保香性アルミニウム箔層と非保香性フィルム層との間での香気による接着剤の劣化によるデラミネーションを抑制するとともに、たとえデラミネーションが発生しても、容器の保存機能にダメージを与えることなく、芳香剤の製品品質に対する悪影響を及ぼさないようにすることにある。【解決手段】保香性フィルム層３と接着剤層４とガスバリア性樹脂層４１と剥離性樹脂層５と非保香性フィルム層６とをこの順に積層し、保香性フィルム層３と接着剤層４とガスバリア性樹脂層４１とを、前記剥離性樹脂層５を介して非保香性フィルム層６から易剥離可能に積層した。【選択図】図１
2004299203.tif 000002
【特許請求の範囲】
【請求項１】
保香性フィルム層と接着剤層とガスバリア性樹脂層と剥離性樹脂層と非保香性フィルム層とをこの順に積層し、保香性フィルム層と接着剤層とガスバリア性樹脂層とを、前記剥離性樹脂層を介して非保香性フィルム層から易剥離可能に積層したことを特徴とする芳香剤包装材料。
【請求項２】
請求項１記載の芳香剤包装材料において、前記ガスバリア性樹脂層がエチレン−ビニルアルコール共重合体樹脂からなることを特徴とする芳香剤包装材料。
【請求項３】
請求項１又は２記載の芳香剤包装材料において、前記ガスバリア性樹脂層と剥離性樹脂層との間にナイロン樹脂層を備えることを特徴とする芳香剤包装材料。
【請求項４】
請求項１乃至請求項３のいずれか１項記載の芳香剤包装材料において、前記非保香性フィルム層が直鎖型低密度ポリエチレン樹脂からなることを特徴とする芳香剤包装材料。
【請求項５】
請求項１乃至請求項３のいずれか１項記載の芳香剤包装材料において、前記非保香性フィルム層がポリプロピレン樹脂からなることを特徴とする芳香剤包装材料。
【請求項６】
請求項１乃至請求項５のいずれか１項記載の芳香剤包装材料において、前記剥離性樹脂層が凝集易剥離性樹脂からなることを特徴とする芳香剤包装材料。
【請求項７】
請求項１乃至請求項５のいずれか１項記載の芳香剤包装材料において、前記剥離性樹脂層が前記非保香性フィルム層に対して層間易剥離性を呈する層間易剥離性樹脂からなることを特徴とする芳香剤包装材料。
【請求項８】
請求項４記載の芳香剤包装材料において、前記剥離性樹脂層が前記直鎖型低密度ポリエチレン樹脂による非保香性フィルム層に対して層間易剥離性を呈するポリプロピレン樹脂からなることを特徴とする芳香剤包装材料。
【請求項９】
請求項５記載の芳香剤包装材料において、前記剥離性樹脂層５が前記ポリプロピレン樹脂による非保香性フィルム層６に対して層間易剥離性を呈する直鎖型低密度ポリエチレン樹脂からなることを特徴とする芳香剤包装材料。
【請求項１０】
請求項３乃至９のいずれか１項記載の芳香剤包装材料において、前記ガスバリア性樹脂層及びナイロン樹脂層及び剥離性樹脂層の三層と、非保香性フィルム層とを共押し出しラミネートにてこの順に積層したことを特徴とする芳香剤包装材料。
【請求項１１】
請求項１乃至請求項１０のいずれか１項記載の芳香剤包装材料において、前記保香性フィルム層の外面に印刷基材層を積層したことを特徴とする芳香剤包装材料。
【請求項１２】
請求項１乃至請求項１１のいずれか１項記載の芳香剤包装材料を、芳香剤包装容器の蓋材に用いることを特徴とする芳香剤包装材料。
【請求項１３】
請求項１乃至請求項１２のいずれか１項記載の芳香剤包装材料を、芳香剤包装袋の全部若しくは一部に用いることを特徴とする芳香剤包装材料。
【発明の詳細な説明】
【０００１】
【産業上の利用分野】
本発明は、固形状や顆粒状や液体状などの芳香剤を収容包装した包装体から、剥離性フィルムを剥離することにより、包装体側に気体透過性のあるフィルムを残して剥離できる芳香剤包装材料及び芳香剤容器用蓋料に関する。
【０００２】
【従来の技術】
従来から、芳香剤包装用の容器としては、ガスバリア性のあるガラス製やプラスチック製などのボトル状、カップ状、トレー状など各種形状の容器の開口部に紙や不織布製の通気性シートや樹脂製の通気性シートによるインナー蓋材を被せて熱融着シールし、その開口部に、ガスバリア性のある密封性のプラスチックキャップを施蓋密封した芳香剤入り容器などが用いられている。
【０００３】
また、通気性シートやフィルムを用いて製袋し、芳香剤を入れて包装した複数の小袋を、ガスバリア性樹脂フィルムを用いて製袋したパウチ内に収容して密封シール包装した芳香剤入り容器などがある。
【０００４】
また近年では、一般に芳香剤を包装するためのプラスチック容器や、容器の開口部を密封シールするシール蓋材（シート）あるいは密封性パウチに用いる包装材料としては、香気が容器の外に蒸散して芳香剤が劣化しないように長期保存性を考慮して、樹脂フィルム製の包装材料の中間層に、ガスバリア性のアルミニウム箔や、酸化ケイ素や酸化アルミニウム等の金属酸化物を蒸着したポリエチレンテレフタレートフィルムを保香性層として積層したガスバリア性の複合積層材料が用いられている。
【０００５】
このガスバリア性の複合積層材料は、特に芳香剤を容器内に収容した状態で使用する形態の簡易容器の蓋材に多用されており、蓋材の表面層にガスバリア性のアルミニウム層を保香性層として適用した易剥離性のガスバリア性複合積層材料として使用されている。
【０００６】
この易剥離性のガスバリア性複合積層材料は、使用前の保管中は、保香性層による保香性により香気の蒸散は防止され、使用する際には、容器蓋材表面側にある保香性フィルム層を剥離することにより、容器開口部側に積層材料の非ガスバリア性（通気性）の残留蓋材フィルムである非保香性フィルム（シーラント）が残るようになっており、容器側に残留した非保香性フィルムを通して芳香剤の香気を蒸散できるようになっている。
【０００７】
【発明が解決しようとする課題】
ところで、上記ガスバリア性複合積層材料の保香性フィルム層と非保香性フィルム層との層間は、使用する際に容易に剥離できるように、易剥離性の接着剤を介して積層接着しているために、容器内の芳香剤の蒸気が、非保香性フィルムを通して接着剤を劣化させたり、保香性フィルム層と非保香性フィルム層との間でデラミネーションが発生して、蓋材の保香性フィルム層と非保香性フィルム層との界面に不規則な剥離領域や空隙が発生したり、陳列保管中や運搬中に、保香性フィルム層が非保香性フィルム層から完全に剥離して、容器外への芳香剤の蒸散損失や劣化が発生して、容器の保存機能にダメージを与え、芳香剤の製品品質に悪い影響を及ぼす心配があった。
【０００８】
本発明は、保香性層と非保香性フィルム層との間でのデラミネーションを抑制するとともに、たとえデラミネーションが発生しても、容器の保存機能にダメージを与えることなく、芳香剤の製品品質に対する悪影響を及ぼさないようにすることにある。
【０００９】
【課題を解決するための手段】
本発明の請求項１に係る発明は、保香性フィルム層３と接着剤層４とガスバリア性樹脂層４１と剥離性樹脂層５と非保香性フィルム層６とをこの順に積層し、保香性フィルム層３と接着剤層４とガスバリア性樹脂層４１とを、前記剥離性樹脂層５を介して非保香性フィルム層６から易剥離可能に積層したことを特徴とする芳香剤包装材料である。
【００１０】
本発明の請求項２に係る発明は、上記請求項１に係る芳香剤包装材料において、前記ガスバリア性樹脂層４１がエチレン−ビニルアルコール共重合体樹脂からなることを特徴とする芳香剤包装材料である。
【００１１】
本発明の請求項３に係る発明は、上記請求項１又は２に係る芳香剤包装材料において、前記ガスバリア性樹脂層４１と剥離性樹脂層５との間にナイロン樹脂層４２を備えることを特徴とする芳香剤包装材料である。
【００１２】
本発明の請求項４に係る発明は、上記請求項１乃至請求項３のいずれか１項に係る芳香剤包装材料において、前記非保香性フィルム層６が直鎖型低密度ポリエチレン樹脂からなることを特徴とする芳香剤包装材料である。
【００１３】
本発明の請求項５に係る発明は、上記請求項１乃至請求項３のいずれか１項に係る芳香剤包装材料において、前記非保香性フィルム層６がポリプロピレン樹脂からなることを特徴とする芳香剤包装材料である。
【００１４】
本発明の請求項６に係る発明は、上記請求項１乃至請求項５のいずれか１項に係る芳香剤包装材料において、前記剥離性樹脂層５が凝集易剥離性樹脂からなることを特徴とする芳香剤包装材料である。
【００１５】
本発明の請求項７に係る発明は、上記請求項１乃至請求項５のいずれか１項に係る芳香剤包装材料において、前記剥離性樹脂層５が前記非保香性フィルム層６に対して層間易剥離性を呈する層間易剥離性樹脂からなることを特徴とする芳香剤包装材料である。
【００１６】
本発明の請求項８に係る発明は、上記請求項４に係る芳香剤包装材料において、前記剥離性樹脂層５が前記直鎖型低密度ポリエチレン樹脂による非保香性フィルム層６に対して層間易剥離性を呈するポリプロピレン樹脂からなることを特徴とする芳香剤包装材料である。
【００１７】
本発明の請求項９に係る発明は、上記請求項５に係る芳香剤包装材料において、前記剥離性樹脂層５が前記ポリプロピレン樹脂による非保香性フィルム層６に対して層間易剥離性を呈する直鎖型低密度ポリエチレン樹脂からなることを特徴とする芳香剤包装材料である。
【００１８】
本発明の請求項１０に係る発明は、上記請求項３乃至９のいずれか１項に係る芳香剤包装材料において、前記ガスバリア性樹脂層４１及びナイロン樹脂層４２及び剥離性樹脂層５の三層と、非保香性フィルム層６とを共押し出しラミネートにてこの順に積層したことを特徴とする芳香剤包装材料である。
【００１９】
本発明の請求項１１に係る発明は、上記請求項１乃至請求項１０のいずれか１項に係る芳香剤包装材料において、前記保香性フィルム層３の外面に印刷基材層２を積層したことを特徴とする芳香剤包装材料である。
【００２０】
本発明の請求項１２に係る発明は、上記請求項１乃至請求項１１のいずれか１項に係る芳香剤包装材料を、芳香剤包装容器の蓋材に用いることを特徴とする芳香剤包装材料である。
【００２１】
本発明の請求項１３に係る発明は、上記請求項１乃至請求項１２のいずれか１項に係る芳香剤包装材料を、芳香剤包装袋の全部若しくは一部に用いることを特徴とする芳香剤包装材料である。
【００２２】
【発明の実施の形態】
本発明の芳香剤包装材料の実施の形態は、図１の積層断面図に示すように、保香性フィルム層３と接着剤層４とガスバリア性樹脂層４１と剥離性樹脂層５と非保香性フィルム層６（シーラント層）とをこの順に積層したもので、保香性フィルム層３とガスバリア性樹脂層４１との間は接着剤層４により接着されているもので、保香性フィルム層３及びガスバリア性樹脂層４１と、非保香性フィルム層６とを、前記剥離性樹脂層５を介して易剥離可能にしたものである。
【００２３】
前記保香性フィルム層３に使用するフィルムとしては、ガスバリア性のあるアルミニウム箔あるいは酸化ケイ素や酸化アルミニウム等の金属酸化物を蒸着した金属酸化物蒸着ポリエチレンテレフタレートフィルムが用いられ、また、前記ガスバリア性樹脂層４１としては、エチレン−ビニルアルコール共重合体樹脂（ＥＶＯＨ）が用いられ、また、ガスバリア性樹脂層４１と剥離性樹脂層５との間にはナイロン樹脂層４２（ＮＹ）が積層される。
【００２４】
また、前記非保香性フィルム層６としては、直鎖型低密度ポリエチレン樹脂（ＬＬＤＰＥ）、又はポリプロピレン樹脂（ＰＰ）が用いられる。
【００２５】
前記剥離性樹脂層５としては、該樹脂層５の層内における凝集力に抗して、その層内を二分割状態に容易に引き裂くことができるような凝集易剥離性樹脂を用いることができる。
【００２６】
また、剥離性樹脂層５としては、前記非保香性フィルム層６に対して接着力の弱い層間易剥離性を呈する層間易剥離性樹脂を用いてもよい。
【００２７】
例えば、非保香性フィルム層６に直鎖型低密度ポリエチレン樹脂を用いた場合には、前記剥離性樹脂層５として層間易剥離性を呈するポリプロピレン樹脂を用い、非保香性フィルム層６にポリプロピレン樹脂を用いた場合には、前記剥離性樹脂層５として層間易剥離性を呈する直鎖型低密度ポリエチレン樹脂を用いることができる。
【００２８】
本発明の芳香剤包装材料は、前記ガスバリア性樹脂層４１及びナイロン樹脂層４２及び剥離性樹脂層５の三層と非保香性フィルム層６とを、４種４層の共押し出しラミネート機にて、この順に積層してラミネートすることができ、その後に、このようにして得られた積層材料の前記ガスバリア性樹脂層４１の表面に、例えばウレタン系の接着剤層４を介して、印刷基材層２と中間層として保香性フィルム層３とを積層ラミネートして形成することができる。
【００２９】
本発明の芳香剤包装材料の前記保香性フィルム層３の外面には、ポリエチレンテレフタレートフィルム、あるいは坪量８５ｇ／ｍ２  程度の片面アート紙などの印刷基材層２を積層することができ、該印刷基材層２の表面若しくは裏面側には容器の包装内容に関する適宜なる情報を印刷表示することができる。また、保香性フィルム層として、酸化ケイ素や酸化アルミニウム等の金属酸化物を蒸着したポリエチレンテレフタレートフィルムを用いた場合、このフィルムに直接、美麗な印刷層を形成することも可能である。
【００３０】
本発明の芳香剤包装材料の用途としては、例えば、芳香剤を包装する容器の蓋材の材料に用いることができ、あるいは芳香剤包装袋を製袋するための全部若しくは一部の製袋用材料として用いることができる。
【００３１】
図２（Ａ）は、本発明の芳香剤包装材料を、芳香剤を収容したプラスチック製のトレー状容器３０の密封用蓋材２０として使用した場合の斜視図、（Ｂ）はその側断面図であり、図３（Ａ）は、本発明の芳香剤包装材料を、芳香剤を収容したプラスチック製のカップ状容器３０の密封用蓋材２０として使用した場合の斜視図、（Ｂ）はその側断面図である。
【００３２】
図２（Ａ）、（Ｂ）、又は図３（Ａ）、（Ｂ）に示すように、芳香剤を収容した容器３０のフランジ部３２に、蓋材２０の周辺部２２を非保香性フィルム層６にて熱融着して密封したものであり、例えば、容器３０のフランジ部３２がポリエチレン樹脂製である場合には、芳香剤包装材料の非保香性フィルム層６（シーラント層）に直鎖型低密度ポリエチレン樹脂を用いたヒートシール性の良好な蓋材２０を用いるものであり、容器３０のフランジ部３２がポリプロピレン樹脂製である場合は、芳香剤包装材料の非保香性フィルム層６（シーラント層）にポリプロピレン樹脂を用いたヒートシール性の良好な蓋材２０を用いるものである。
【００３３】
そして、例えば、蓋材２０の一部周辺部２２に摘み部２４（必要に応じてその周辺部２２から突出する摘み部２４）を設け、該周辺部２２と摘み部２４との間には、非保香性フィルム層６を切断する切れ目線ａを設ける。
【００３４】
このような容器３０内の芳香剤は、蓋材２０の保香性フィルム層３とガスバリア性樹脂層４１によって芳香剤の香気が容器外側に蒸散せずに密封状態が保持できる。
【００３５】
容器３０内の芳香剤を容器外側に蒸散させて使用する際には、図２（Ｂ）、又は図３（Ｂ）に示すように、蓋材２０の摘み部２４を摘んで引っ張り上げることにより、容器３０側に通気性の非保香性フィルム層６が残った状態で、保香性フィルム層３、ガスバリア性樹脂層４１、ナイロン樹脂層４２を剥離することができ、容器３０内に収容した芳香剤の香気を非保香性フィルム層６を通して外側に蒸散させることができる。
【００３６】
また、図４は、本発明の芳香剤包装材料を、芳香剤を収容したトレー状容器３０を外側から密封包装するためのプラスチックフィルム製のパウチ６１の製袋用材料の全部又は一部として使用した場合の斜視図、図５は、本発明の芳香剤包装材料を、芳香剤を収容した１個乃至複数個の分包体５１（小袋）を密封包装するためのプラスチックフィルム製のパウチ６１の製袋用材料の全部又は一部として使用した場合の斜視図である。
【００３７】
図４に示す芳香剤を収容したトレー状容器３０は、そのフランジ部３２にシート状蓋材５１の周辺部５２をヒートシールして収容包装したものであるが、容器３０本体及び／又は蓋材５１は、必ずしもプラスチック製である必要はなく、単なる紙製であってもよく、また、ガスバリア性を備えている必要もなく、密封包装されている必要もない。
【００３８】
また、図５に示す芳香剤を収容した分包体５１は、必ずしもプラスチックフィルム製である必要はなく、単なる紙製であってもよく、また、ガスバリア性を備えている必要もなく、密封包装されている必要もない。
【００３９】
本発明の芳香剤包装材料を用いて製袋したパウチ６１、又は本発明の芳香剤包装材料とガスバリア性のある他のプラスチックフィルム材料とを併用して製袋したパウチ６１内に、図４、図５に示す芳香剤を収容した容器３０又は分包体５１を装填して密封シール包装することにより、容器３０又は分包体５１内の芳香剤は、芳香剤包装材料の蓋材２０の保香性フィルム層３とガスバリア性樹脂層４１、又は本発明の芳香剤包装材料の蓋材２０の保香性フィルム層３とガスバリア性樹脂層４１と、ガスバリア性の他のプラスチックフィルム材料によって、芳香剤の香気を容器外側に蒸散させずに密封状態を保持できる。
【００４０】
そして、図４、図５に示す容器３０又は分包体５１内の芳香剤を容器外側に蒸散させて使用する際には、密封シールしたパウチ６１における本発明の芳香剤包装材料にて製袋した部分の端部（又は摘み部、必要に応じてその端部から突出する摘み部）を摘んで引っ張り上げることにより、パウチ６１側に通気性の非保香性フィルム層６が残った状態で、保香性フィルム層３、ガスバリア性樹脂層４１、ナイロン樹脂層４２を剥離することができ、パウチ６１内に収容した容器３０又は分包体５１内の芳香剤の香気を非保香性フィルム層６を通して外側に蒸散させることができる。
【００４１】
なお、上記パウチ６１の製袋材料に、本発明の芳香剤包装材料とガスバリア性のある他のプラスチックフィルム材料とを併用する場合において、本発明の芳香剤包装材料の非保香性フィルム層６（シーラント層）に直鎖型低密度ポリエチレン樹脂を用いる場合には、ガスバリア性のある他のプラスチックフィルム材料のシーラント層にはポリエチレン樹脂を用い、本発明の芳香剤包装材料の非保香性フィルム層６（シーラント層）にポリプロピレン樹脂を用いる場合には、ガスバリア性のある他のプラスチックフィルム材料のシーラント層にはポリプロピレン樹脂を用いることが望ましい。
【００４２】
【実施例】
本発明の芳香剤包装材料の積層構成の具体的実施例を下記に示す。
【００４３】
（積層構成材料）
▲１▼印刷基材層
ポリエチレンテレフタレートフィルム：１２μｍ
▲２▼印刷基材層と保香性（ガスバリア性）フィルム層との間の接着剤層
ウレタン系接着剤（５ｇ／ｍ２  ）
▲３▼保香性（ガスバリア性）フィルム層
アルミニウム箔（７〜９μｍ）
▲４▼保香性（ガスバリア性）フィルム層とＥＶＯＨ層との間の接着剤層
ウレタン系接着剤（５ｇ／ｍ２  ）
▲５▼共押し出し積層材料
ＥＶＯＨ（厚さ１５μｍ）／ＮＹ（厚さ１５μｍ）／ウレタン系接着剤／凝集易剥離性樹脂（ポリエチレン樹脂厚さ３０μｍ）／ＬＬＤＰＥ（厚さ２０μｍ）
▲６▼共押し出し積層材料
ＥＶＯＨ（厚さ１５μｍ）／ＮＹ（厚さ１５μｍ）／ウレタン系接着剤／ＰＰ（厚さ１０μｍ）／ＬＬＤＰＥ（厚さ２０μｍ）
▲７▼共押し出し積層材料
ＥＶＯＨ（厚さ１５μｍ）／ＮＹ（厚さ１５μｍ）／ウレタン系接着剤／凝集易剥離性樹脂（ＰＰ厚さ３０μｍ）／ＰＰ（厚さ２５μｍ）
▲８▼共押し出し積層材料
ＥＶＯＨ（厚さ１５μｍ）／ＮＹ（厚さ１５μｍ）／ウレタン系接着剤／ＬＬＤＰＥ（厚さ１０μｍ）／ＰＰ（厚さ２０μｍ）
【００４４】
＜実施例１＞
▲１▼／▲２▼／▲３▼／▲４▼／▲５▼
【００４５】
＜実施例２＞
▲１▼／▲２▼／▲３▼／▲４▼／▲６▼
【００４６】
＜実施例３＞
▲１▼／▲２▼／▲３▼／▲４▼／▲７▼
【００４７】
＜実施例４＞
▲１▼／▲２▼／▲３▼／▲４▼／▲８▼
【００４８】
【発明の効果】
本発明の芳香剤包装材料は、保香性フィルム層と接着剤層とガスバリア性樹脂層と剥離性樹脂層と非保香性フィルム層とをこの順に積層し、保香性フィルム層と接着剤層とガスバリア性樹脂層とを、前記剥離性樹脂層を介して非保香性フィルム層から易剥離可能に積層したものであり、非保香性フィルム層を通して接着剤層方向に移行する容器内の固形状や顆粒状やゼリー状などの芳香剤から気化する芳香蒸気を、保香性フィルム層を接着している接着剤層と非保香性フィルム層との間に介在しているガスバリア性樹脂層によって遮断することができ、保香性フィルム層とガスバリア性樹脂層とを接着している接着剤の劣化を防止できる効果がある。
【００４９】
そのため、保香性フィルム層とガスバリア性樹脂層との間のデラミネーションの発生を回避でき、保香性フィルム層とガスバリア性樹脂層との界面に不規則な剥離領域や空隙が発生したり、陳列保管中や運搬中に、保香性フィルム層がガスバリア性樹脂層から完全に剥離するような現象を防止することができる。また本発明の芳香剤包装材料は、芳香剤用の包装材料に限定されることなく、気化性の消臭剤や防虫剤などを包装する包装材料としても利用展開が可能である。
【００５０】
また、たとえ保香性フィルム層とガスバリア性樹脂層との間でデラミネーションが発生して、保香性フィルム層とガスバリア性樹脂層との界面に不規則な剥離領域や空隙が発生したとしても、非保香性フィルム層側にはガスバリア性樹脂層が残るため、容器の保香機能にダメージを与えることなく、芳香剤の製品品質に対する悪影響を及ぼさない効果がある。
【００５１】
また、本発明の芳香剤包装材料は、エチレン−ビニルアルコール共重合体によるガスバリア性樹脂層と非保香性フィルム層との間にナイロン樹脂層を備えており、ガスバリア性樹脂層とナイロン樹脂層とにより材料のエッジ切れを防止する効果が付加されるものである。
【図面の簡単な説明】
【図１】本発明の芳香剤包装材料の実施の形態を説明する積層断面図。
【図２】（Ａ）は本発明の芳香剤包装材料を、トレー状容器の蓋材として使用した場合の斜視図、（Ｂ）はその側断面図。
【図３】（Ａ）は本発明の芳香剤包装材料を、カップ状容器の蓋材として使用した場合の斜視図、（Ｂ）はその側断面図。
【図４】本発明の芳香剤包装材料を、パウチ容器として使用した場合の一例を示す斜視図。
【図５】本発明の芳香剤包装材料を、パウチ容器として使用した場合の他の例を示す斜視図。
【符号の説明】
１…芳香剤包装材料  ２…印刷基材層  ３…保香性フィルム層
４１…ガスバリア性樹脂層  ４２…ナイロン樹脂層  ５…剥離性樹脂層
６…非保香性フィルム層
２０…蓋材  ２４…摘み部  ３０…容器  ３２…フランジ部
５０…蓋材  ５１…分包体  ６１…パウチ
【図１】
2004299203.tif 000003
【図２】
2004299203.tif 000004
【図３】
2004299203.tif 000005
【図４】
2004299203.tif 000006
【図５】
2004299203.tif 000007